(57)【要約】【課題】企業において取引等、受発注等のやりとりを行う場合、ＥＤＩ（Ｅｌｅｃｔｒｏｎｉｃ Ｄａｔａ Ｉｎｔｅｒｃｈａｎｇｅ）が利用されることが多い。しかしながら、すべての企業において導入されているわけではない。特に、中小企業において導入されている割合が低くなっている。なぜなら、導入コストが高い、メンテナンスの必要性が発生、また操作が困難になるという課題があるためである。【解決手段】上記課題解決のため、本発明は、コピー機のタッチパネル形式のブラウザ部を用いてインターネットを介して管理サーバ装置と接続し、コピー機のタッチパネル形式のブラウザ部を操作することにより管理サーバ装置よりデータの発信もしくは管理サーバ装置に受信したデータをコピー機のタッチパネル形式のブラウザ部を介して閲覧操作するシステムを提供する。【選択図】図１
2009087261.tif 000002
【特許請求の範囲】
【請求項１】
中小メーカー・卸売業者等に備えられるコピー機と、ＶＡＮ業者（データ伝送サービス業）等に備えられる管理サーバ装置とからなる受発注システムであって、
コピー機は、
インターネット通信部と、
タッチパネル形式の小型ブラウザ部と、を有し、
管理サーバ装置は、
小型ブラウザで容易に閲覧操作可能な受発注画面を提供する受発注画面提供部と、
前記受発注画面を介して入出力される受発注データを管理する管理部と、
を有する受発注システム。
【請求項２】
大型小売店舗等に備えられる受発注サーバ装置をさらに有し、
受発注サーバ装置は、管理サーバ装置と、受発注データをＸＭＬ−ＥＤＩデータ形式で通信する第一ＸＭＬ−ＥＤＩ通信部と、
管理サーバ装置から受信する受発注データをＸＭＬ−ＥＤＩデータとして処理する第一処理部と、を有し、
前記管理サーバ装置は、
受発注サーバ装置と、受発注データをＸＭＬ−ＥＤＩデータ形式で通信する第二ＸＭＬ−ＥＤＩ通信部と、
受発注サーバ装置と交換すべき受発注データを識別してＸＭＬ−ＥＤＩデータとして処理する第二処理部と、をさらに有する請求項１に記載の受発注システム。
【発明の詳細な説明】
【技術分野】
【０００１】
本発明は、企業などがコンピュータをネットワークでつなぎ、伝票や文書を電子データで交換するシステムにおいて、インターネットに接続されたコピー機を用いてデータの交換を行うための技術に関する。
【背景技術】
【０００２】
企業において取引等、受発注等のやりとりを行う場合、ＥＤＩ（Ｅｌｅｃｔｒｏｎｉｃ Ｄａｔａ Ｉｎｔｅｒｃｈａｎｇｅ）が利用されることが多い。ＥＤＩとは受発注や見積り、決済、出荷、入荷などに関わるデータを、あらかじめ定められた形式にしたがって電子化し、専用線やＶＡＮなどのネットワークを通じて送受信するものである。
【０００３】
以上より、電子化されたデータをお互いに交換することにより、大量のデータをコンピュータにて一括して処理を行うことが可能となり、事務作業の効率化、迅速化など様々な利点をもたらしている。  
【特許文献１】該当なし
【非特許文献１】該当なし
【発明の開示】
【発明が解決しようとする課題】
【０００４】
しかしながら、ＥＤＩはすべての企業において導入されているわけではない。特に、中小企業において導入されている割合が低くなっている。
【０００５】
なぜなら、ＥＤＩを導入するに当たって次のような課題が存在するためである。データ交換の少ない中小企業において、まずＥＤＩに必要とされるシステムを導入することは、導入コストに対してその効果が小さいことがあげられる。また、導入にあたりメンテナンスを自己で行う必要性が発生する。さらに従来のＦＡＸ等の操作方法と比較して操作方法が難しくなる。などの課題である。
【課題を解決するための手段】
【０００６】
以上の課題を解決するために、本発明は以下のようなコピー機を用いたＥＤＩシステムを提供する。すなわち、コピー機のタッチパネル形式のブラウザ部を用いてインターネットを介して管理サーバ装置と接続し、管理サーバ装置よりＥＤＩデータの発信もしくは受信するＥＤＩシステムである。導入することにより従来備え付けられているコピー機を使用することが可能となる。それにより、本発明を導入するにあたり、コストが大幅に軽減され、またメンテナンスや操作方法についても大きく変わることはないことから、上記課題を解決することができる。
【０００７】
具体的には、中小メーカー・卸売業者等に備えられるコピー機のタッチパネル形式のブラウザ部を用いて、管理サーバ装置より取引画面データを受信し、上記タッチパネル形式のブラウザ部に閲覧操作可能な形で表示する。そして、上記タッチパネル形式のブラウザ部を操作することにより操作情報が管理サーバ装置に送信され、管理サーバ装置が操作情報をもとにＥＤＩデータを作成し、必要に応じて取引先に送信する。また、管理サーバ装置が取引先より受信したＥＤＩデータを上記タッチパネル形式のブラウザ部に閲覧操作可能な形でコピー機に送信し、上記タッチパネル形式のブラウザ部に表示させることを特徴とする。
【０００８】
そしてこの受発注システムでは、大型小売店舗等でＸＭＬ−ＥＤＩを使用可能な取引先である場合、上記管理サーバ装置とのデータの交換にＸＭＬ−ＥＤＩを使用しＥＤＩデータの交換を行うことをさらなる特徴とする。
【発明の効果】
【０００９】
図１のような構成をとる本発明では、ＥＤＩに必要とされるパソコン並びに周辺機器を導入する必要はなく、中小メーカー・卸売業者等に備えられるコピー機を用いて容易にＥＤＩを用いた受発注を行うことができる。
【発明を実施するための最良の形態】
【００１０】
以下に、図を用いて本発明の実施の形態を説明する。なお、本発明はこれらの実施の形態に何ら限定されるものではなく、その要旨を逸脱しない範囲において、種々なる態様で実施しうる。
【００１１】
なお、実施例１は主に請求項１について説明する。また実施例２は、主に請求項２について説明する。
【００１２】
≪実施例１≫
【００１３】
<概要>
【００１４】
図１は、本実施例のコピー機を利用したＥＤＩシステムの一例を説明するための概念図である。この図にあるように、コピー機のタッチパネル形式のブラウザ部に取引のメニューが表示されている（０２０１）。また、コピー機はインターネットを介して管理サーバ装置と接続可能な状態となっている。
【００１５】
ここで、本実施例では、ユーザが取引先から受注を受けたと想定しユーザが受注内容の確認をおこない出荷データを作成し取引先に送付する一連の流れについて説明する。なお、受領一覧、返品一覧、請求一覧等の他諸取引においても基本的な流れは以下で説明する内容とほぼ同様であることから省略する。
【００１６】
まず、取引先よりユーザ宛の発注データがＥＤＩデータとして管理サーバ装置へ任意のタイミングで発信され、管理サーバ装置はこれを受信し保存する。
【００１７】
次に、ユーザは自店舗にあるコピー機のタッチパネル形式のブラウザ部に表示されているメニューを操作し「受注データ確認」（０２０２）のボタンを選択する。（図２）
【００１８】
「受注データ確認」（０２０２）のボタンを選択することにより、インターネットを介して管理サーバ装置に対し小型画面でも閲覧可能な「受注データ閲覧画面」及び「受注データ」の要求を行う。
【００１９】
要求を受けた管理サーバ装置は、インターネットを介してユーザのコピー機に対して小型画面でも閲覧可能な「受注データ閲覧画面」及び管理サーバ装置で管理している「受注データ」をコピー機のタッチパネル形式のブラウザ部に閲覧可能な形に変換し、コピー機に送信する。
【００２０】
コピー機は、管理サーバ装置より受信した小型画面でも閲覧可能な「受注データ閲覧画面」および「受注データ」をタッチパネル形式のブラウザ部に表示する。（図３）
【００２１】
ユーザはコピー機のタッチパネル形式のブラウザ部に表示された受注状況を確認する。ここで、ユーザは受注内容に従い商品を実際に出荷したものとする。
【００２２】
出荷を行ったユーザは自店舗にあるコピー機のタッチパネル形式のブラウザ部に表示されているメニューを操作し「出荷データ作成」（０２０３）のボタンを選択する。（図２）
【００２３】
「出荷データ作成」のボタンを選択することにより、インターネットを介して管理サーバ装置に対し小型画面でも閲覧操作可能な「出荷データ閲覧操作画面」及び「出荷データ」の要求を行う。
【００２４】
要求を受けた管理サーバ装置は、インターネットを介してユーザのコピー機に対して小型画面でも閲覧操作可能な「出荷データ閲覧操作画面」及び管理サーバ装置で管理している「出荷データ」をコピー機のタッチパネル形式のブラウザ部に閲覧操作可能な形に変換し、コピー機に送信する。
【００２５】
コピー機は、管理サーバ装置より受信した小型画面でも閲覧操作可能な「出荷データ閲覧操作画面」および「出荷データ」をタッチパネル形式のブラウザ部に表示する。（図４）
【００２６】
ユーザはコピー機のタッチパネル形式のブラウザ部に表示された出荷データを実際に行った出荷状況に合わせて修正する。例えば、出荷数量や価格に変更があった場合には出荷データを変更する。ここで、修正が終わると、ユーザはタッチパネル形式のブラウザに表示されている「出荷データ送信」（０４０２）ボタンを選択する。（図４）
【００２７】
「出荷データ送信」ボタンを選択することにより、インターネットを介して管理サーバ装置にユーザにて入力された出荷内容に基づき管理データの更新を行う「出荷データ変更」、ユーザにて入力された内容に基づき取引先にデータの送信を行う「出荷データ送信」の要求を行う。
【００２８】
要求を受けた管理サーバ装置は「出荷データ送信」を受信するとそれに応じて、EDIデータを作成し取引先に送信を行う。
【００２９】
ユーザは「出荷データ送信」が完了したことを確認する。（図４）
【００３０】
<機能的構成>
【００３１】
図５は本実施例のコピー機を利用したＥＤＩシステムにおける機能ブロックの一例を表す図である。この図にあるように本実施例の「受発注システム」は「コピー機」（０５０１）と「管理サーバ装置」（０５０２）からなる。
【００３２】
以下、まずは「コピー機」（０５０１）の構成要件について、図５などを用いて説明する。「コピー機」（０５０１）は、「インターネット通信部」（０５０３）を有しまた、「小型ブラウザ部」（０５０４）を有するコピー機を指す。例えば、デジタル複合機などである。このコピー機は、中小メーカー・卸売業者に備えられることを想定している。なぜなら、これらの者は情報処理のために大きな投資をすることが一般に困難だからである。しかし、審査上権利範囲が不明確になるのであれば、このコピー機がどこに備えられるかの限定を削除しても良い。この場合には情報処理のために大きな投資をすることができない事業者に備えられることで発明の効果がより発揮されることとなる。
【００３３】
「インターネット通信部」(０５０３)はインターネットに接続しデータの送受信を行う機能を有し後述する「小型ブラウザ部」（０５０４）に出力させる。
【００３４】
「小型ブラウザ部」（０５０４）は小型ブラウザ部に出力された画面に対してタッチパネル形式で操作を行うことが可能な機能を有し、後述する「管理サーバ装置」（０５０２）より送られてくる画面の出力を行う。通常、縦５０〜１００×横１００〜２００ドット程度の液晶画面である。
【００３５】
次に、「管理サーバ装置」（０５０２）の構成要件について、図５を用いて説明する。「管理サーバ装置」（０５０２）は少なくとも、「受発注画面提供部」（０５０５）と「管理部」（０５０６）を有するサーバ指す。管理サーバ装置は、データ伝送サービスを事業として行う者に備えられる。この種の事業者は、データ処理に十分な投資をすることができ、高機能なサーバ装置を利用できるからであり、また、高機能なサーバ装置を用いても多数のクライアント（コピー機）に対してデータ伝送サービスを提供するのでコスト的にペイするからである。ただし、審査においてＶＡＮ業者に限定することで発明の範囲が不明確となるのであればこの限定は削除しても良い。その場合にはこの管理サーバはＶＡＮ業者に備えられることでより発明の効果を発揮する。
【００３６】
「受発注画面提供部」（０５０５）は小型ブラウザで容易に閲覧操作可能な受発注画面を提供する。すなわち、要求された受発注画面を上記「コピー機」（０５０１）に対してインターネットを介して送信する機能を有する。具体的には、縦５行〜１０行×横１０文字〜２０文字程度に収まるように編集した小型画面でも閲覧可能な「受注データ閲覧画面」やそこに表示する「受注データ」等の送信を行う。
【００３７】
「管理部」（０５０６）は、前記受発注画面を介して入出力されるＥＤＩデータを管理する機能を有する。すなわち、前記受発注画面を介して作成されるデータ及び受信するデータを管理する機能である。具体的には、「受注データ」や「出荷データ」等である。
【００３８】
以上のように、本実施例の受発注システムでは、中小メーカー・卸売業者等に備えられるコピー機のタッチパネル形式の小型ブラウザ部をユーザが操作することにより、取引先との受発注データの送受信及び受発信したＥＤＩデータを管理する管理サーバ装置とデータのやりとりを行うことができる。それにより、ユーザは取引先と取引を行うことができる。
【００３９】
<ハードウェア的構成>
【００４０】
以下、図６、７を用いて、本実施例の受発注システムを構成する上記「コピー機」、及び「管理サーバ装置」のそれぞれの機能的な構成要件を、ハードウェアとして実現した際の構成の一例について説明する。
【００４１】
（コピー機）
【００４２】
図６は、受発注システムを構成する「コピー機」のハードウェア構成の一例を表す概略図である。この図を利用して、ブラウザ画面へのメニュー画面表示処理等におけるそれぞれのハードウェア構成部の働きについて説明する。
【００４３】
この図にあるように「コピー機」は、各種演算処理や制御を行う「ＣＰＵ」（０６０１）と、「主メモリ」（０６０２）と、を備えている。また、コピー機は、小型ブラウザ部の画面データやＦＡＸ送信時に使用するアドレスデータを保存する「記憶装置」（０６０３、０６０４）や小型ブラウザ部のデータを入力するための「ボタン」、「タッチパネル機能」といった「ＵＩ」（０６０５）やユーザのコピー機や取引先と通信を行うための「I／O」（０６０６）なども備えている。そしてこれらが、「システムバス」などのデータ通信経路によって相互に接続され、情報の送受信や処理を行う。
【００４４】
ここで、ユーザは「コピー機」に表示されている「小型ブラウザ部」（０６０８）より「ＵＩ」（０６０５）を操作して取引を行うと、要求が「Ｉ／Ｏ」（０６０６）を通じてインターネットを介し後述する「管理サーバ装置」へ送信される。
【００４５】
「コピー機」は、要求を受けた後述する「管理サーバ装置」よりインターネットを介して「Ｉ／Ｏ」（０６０６）が受発注画面及びデータを受信する。そして、「主メモリ」（０６０２）のワーク領域に展開された「ブラウザ出力プログラム」（０６０７）に従って、以下のような処理が実行される。
【００４６】
まず、「ＣＰＵ」（０６０１）の論理演算処理によって「小型ブラウザ部」（０６０８）に出力する画面の作成を行う。具体的には、「Ｉ／Ｏ」（０６０６）が受信した受発注画面及びデータを元に「小型ブラウザ部」（０６０８）に出力する画面を生成する。そして、「ブラウザ出力プログラム」（０６０７）により、「小型ブラウザ部」（０６０８）に画面の出力を行う。
【００４７】
（管理サーバ装置）
【００４８】
図７は、受発注システムを構成する「管理サーバ装置」のハードウェア構成の一例を表す概略図である。この図を利用して、インターネット上にある中小メーカー・卸売業者等に備えられる「コピー機」（０７０６）とのデータの送受信処理やEDIデータの管理処理等におけるそれぞれのハードウェア構成部の働きについて説明する。
【００４９】
この図にあるように、「管理サーバ装置」は、各種演算処理や制御を行う「ＣＰＵ」（０７０１）と、「主メモリ」（０７０２）と、を備えている。また、「管理サーバ装置」はさらに受発注データを管理する管理部および、受発注画面を記憶する「記憶装置」（０７０３、０７０４）やインターネット上にある中小メーカー・卸売業者等に備えられる「コピー機」（０７０６）や取引先と通信を行うための「I／O」（０７０５）なども備えている。そしてこれらが、「システムバス」などのデータ通信経路によって相互に接続され、情報の送受信や処理を行う。
【００５０】
ここで、インターネット上にある中小メーカー・卸売業者等に備えられる「コピー機」（０７０６）をユーザが操作して作成した各種要求がインターネットを介して「管理サーバ装置」の「I／O」（０７０５）が、受信すると「主メモリ」（０７０２）のワーク領域に展開された「受発注画面提供プログラム」（０７０８）に従って、以下のような処理が実行される。
【００５１】
最初に、「ＣＰＵ」（０７０１）の論理演算処理によって受信した要求を解析する。具体的には、要求に含まれる要求の名称（例えば、「受注データ確認」、「出荷データ作成」）、更新情報（例えば、出荷データの更新）及びデータ送信命令（例えば、出荷データ送付）の有無を解析する。
【００５２】
次に、送信命令が含まれていた場合、命令に従い「ＥＤＩ変換プログラム」（０７０９）によりＥＤＩデータに変換され「I／O」（０７０５）から「受発注サーバ装置」（０７０７）へインターネットを介してデータ（例えば、EDI化された出荷データ）が送信される。
【００５３】
さらに、抽出した情報に更新情報（例えば、出荷データの更新）が含まれている場合、抽出した要求の名称から「記憶装置」（０７０３）を参照し、更新情報の内容に従って管理データ（例えば、出荷データ）の更新を行う。
【００５４】
そして、抽出した要求の名称より「記憶装置」（０７０３、０７０４）を参照し、管理データ（例えば、「受注データ」、「出荷データ」）及び受発注画面（例えば、「受注データ閲覧画面」、「出荷データ操作閲覧画面」）を呼び出す。
【００５５】
「ＣＰＵ」（０７０１）は呼び出された上記管理データ及び受発注画面を「I／O」（０７０５）から、インターネット上にある中小メーカー・卸売業者等に備えられる「コピー機」（０７０６）に対してタッチパネル形式の小型ブラウザ部に表示できる形態で送信する。
【００５６】
<処理の流れ>
【００５７】
図８は、本実施例であるコピー機を利用したＥＤＩシステムにおける処理の流れの一例を表すフローチャートである。なお、ここでも上記にて述べたように、ユーザが取引先から受注を受けたと想定しユーザが受注内容の確認をおこなう処理及び出荷データを作成し取引先に送付する処理それぞれについて説明する。なお、以下に示すステップは、媒体に記憶され計算機を制御するためのプログラムを構成する処理ステップであってもかまわない
【００５８】
この図にあるように、まず中小メーカー・卸売業者等に備えられるコピー機に対してタッチパネル形式の小型ブラウザ部を操作して受発注画面の起動を行う。（ステップＳ０８０１）そして、受発注画面に入力可能な場合、ユーザの入力操作（ステップＳ０８０２、Ｓ０８０３）をうけてボタンの選択を行う。（ステップＳ０８０４）。ボタンの選択により、要求が管理サーバ装置に送信される（ステップＳ０８０５）。
【００５９】
管理サーバ装置では、このように送信されてきた要求を受信する（ステップＳ０８０６）と要求の解析が行われる（ステップＳ０８０７）。
【００６０】
解析された要求において送信命令がある場合（ステップＳ０８０８）、取引先にデータを送信する（ステップＳ０８０９）。また、解析された要求において更新情報がある場合（ステップＳ０８１０）、管理データの更新を行う（ステップＳ０８１１）。
【００６１】
上記、処理後に管理データ及び受発注画面を記憶装置より呼び出し（ステップＳ０８１２）、管理データ及び受発信画面をコピー機に送信する（ステップＳ０８１３）。
【００６２】
管理サーバ装置より管理データ及び受発注画面を受信したコピー機は（ステップＳ０８１４）は管理データ及び受発注画面を出力する（ステップＳ０８１５）
【００６３】
<効果の簡単な説明>
【００６４】
以上のように、本実施例の受発注システムによって、中小メーカー・卸売業者等に備えられるコピー機に対してタッチパネル形式の小型ブラウザ部を使用し、管理サーバ装置とデータのやり取りをすることにより受発注を行う。
【００６５】
≪実施例２≫
【００６６】
<概要>
【００６７】
本実施例は、実施例１を基本として、管理サーバ装置より取引先にＥＤＩデータを送信する際に、取引先の受発注サーバ装置がＸＭＬ−ＥＤＩに対応している場合、送受信するデータをＸＭＬ−ＥＤＩの形で扱うものである。
【００６８】
図９は、本実施例におけるＥＤＩ導入企業に対してＥＤＩデータの送受信の一例を表す概念図である。
【００６９】
この図にあるように、ユーザのコピー機からＸＭＬ−ＥＤＩ導入企業の受発注サーバ装置に対してのデータの送信命令を受けた場合、もしくはＸＭＬ−ＥＤＩ導入企業の受発注サーバ装置よりコピー機に対してのデータを受信した場合、両者を判別し、判別の結果に従い、前者ではＸＭＬ−ＥＤＩデータを送信し、後者ではコピー機からの要求をまってブラウザに対して受発注画面などを送信する。
【００７０】
<機能的構成>
【００７１】
図１０は、本実施例のコピー機を利用したＥＤＩシステムにおける機能ブロックの一例を表す図である。この図にあるように、本実施例の「コピー機」においては実施例１と同じであり、「管理サーバ装置」は実施例１を基本として、「第二処理部」（１００３）と「第二ＥＤＩ通信部」（１００４）を新たに有することを特徴とする。また、「受発注サーバ装置」においては「第一処理部」（１００１）と「第一ＥＤＩ通信部」（１００２）を有することを特徴とする。なお、ここでは、本実施例において新たに追加された機能についてのみ説明する。
【００７２】
「第一処理部」（１００１）は「管理サーバ装置」から受発信する受発注データをＸＭＬ−ＥＤＩデータとして処理する機能を有する。すなわち、後述する「第一ＥＤＩ通信部」（１００２）より受信したデータの解析及び、「管理サーバ装置」へ送信するデータの生成を行う機能を有する。具体的には「管理サーバ装置」より受信するＸＭＬ−ＥＤＩのデータ（例えば、出荷データ）解析を行う。もしくは、「第一処理部」（１００１）で「管理サーバ装置」に発信するデータ（例えば、受注データ）をＸＭＬ−ＥＤＩのデータとして生成し「第一ＥＤＩ通信部」（１００２）へ送信する機能である。
【００７３】
「第一ＥＤＩ通信部」（１００２）は「管理サーバ装置」と通信をするためにインターネットに接続しデータの送受信を行う機能を有する。すなわち、「管理サーバ装置」の「第二ＥＤＩ通信部」（１００４）と接続し、「管理サーバ装置」よりデータを受信し「第一処理部」（１００１）へ送信する処理やその逆の処理を行う。具体的には、「管理サーバ装置」よりインターネットを介して受信したデータ（例えば、出荷データ）を「第一処理部」（１００１）へ送信する。もしくは「第一ＥＤＩ通信部」（１００２）は、「第一処理部」（１００１）にて生成されたＸＭＬ−ＥＤＩのデータ（例えば、受注データ）を「管理サーバ装置」へ送信する機能である。
【００７４】
「第二処理部」（１００３）は「受発注サーバ装置」から受発信する受発注データをＸＭＬ−ＥＤＩデータとして処理する機能を有する。すなわち、後述する「第二ＥＤＩ通信部」（１００４）より受信したデータの解析及び、「受発注サーバ装置」へ送信するデータの生成を行う機能を有する。具体的には「受発注サーバ装置」より受信するＸＭＬ−ＥＤＩのデータ（例えば、受注データ）解析を行う。もしくは「第二処理部」（１００３）は「受発注サーバ装置」に発信するデータ（例えば、出荷データ）をＸＭＬ−ＥＤＩのデータとして生成し、「第二ＥＤＩ通信部」（１００４）へ送信する機能である。受発注サーバと交換すべき受発注データの識別は、受発注データと関連付けられて管理されるデータ交換先のアドレス情報で識別する。例えば受発注データは伝票ＩＤと関連付けられており、伝票ＩＤは大型小売店舗などのＩＤと関連付けられており、大型小売店舗などのＩＤとデータ交換先のアドレス情報が関連付けられることで受発注データとデータ交換先のアドレス情報が関連付けられる、という具合である。また前記伝票ＩＤが直接データ交換先のアドレス情報と関連付けられていても良い。これらは管理サーバ装置の記憶部に管理情報として例えばテーブルなどの形で記憶されている。
【００７５】
「第二ＥＤＩ通信部」（１００４）は「受発注サーバ装置」と通信するためにインターネットに接続しデータの送受信を行う機能を有する。すなわち、「受発注サーバ装置」の「第一ＥＤＩ通信部」（１００２）と接続し、「受発信サーバ装置」よりデータを受信し「第二処理部」（１００３）へ送信する処理やその逆の処理を行う。具体的には、「受発注サーバ装置」よりインターネットを介して受信したデータ（例えば、受注データ）を「第二処理部」（１００３）へ送信する。もしくは「第二ＥＤＩ通信部」（１００４）は「第二処理部」（１００３）にて生成されたＸＭＬ−ＥＤＩのデータ（たとえば、出荷データ）を「受発注サーバ装置」へ送信する機能である。
【００７６】
本実施例では、取引先の受発注サーバ装置に応じて、ＥＤＩデータ及びＸＭＬ−ＥＤＩのデータ、２種類の形式についてそれぞれ対応した形でデータの送受信が可能となる。
【００７７】
<ハードウェア的構成>
【００７８】
図１１は、上記機能的な各構成要件を追加した形でハードウェアとして実現した際の、管理サーバ装置における構成の一例を表す概略図である。この図を利用して、ＸＭＬ−ＥＤＩのデータの送受信処理とＥＤＩ変換プログラム及びＸＭＬ−ＥＤＩ変換プログラムの働きについて説明する。この図にあるように、管理サーバ装置は、実施例１と同様に「ＣＰＵ」（１１０１）と、「主メモリ」（１１０２）と「記憶装置」（１１０３、１１０４、１１０５）と「Ｉ／Ｏ」（１１０６）と、を備えている。また、「Ｉ／Ｏ」（１１０６）ＸＭＬ−ＥＤＩデータの送受信が可能な機能を有している。
【００７９】
ここで、「Ｉ／Ｏ」（１１０６）はＸＭＬ−ＥＤＩデータである「受注データ」を受信したとする。まず、「ＣＰＵ」（１１０１）はＸＭＬ−ＥＤＩ対応状況を判別する。そして、判別結果を元に「ＸＭＬ−ＥＤＩ変換プログラム」（１１０９）を呼び出し、受信したＸＭＬ−ＥＤＩデータである「受注データ」の解析をおこなう。
【００８０】
次に、「Ｉ／Ｏ」（１１０６）はユーザコピー機より受発注サーバ装置に、出荷データの送付命令を受信したとする。すると、送信元のＸＭＬ−ＥＤＩ対応状況を判別する。そして、判別結果を元に「ＸＭＬ−ＥＤＩ変換プログラム」（１１０９）を呼び出し、ＸＭＬ−ＥＤＩのデータの生成を行い「Ｉ／Ｏ」（１１０６）がインターネットを介して取引先の受発注サーバ装置にデータを送信する。
【００８１】
<処理の流れ>
【００８２】
図１２、１３は、本実施例のサーバ装置におけるデータ送受信における流れの一例を表すフローチャートである。ここで、図１２における処理の流れは、図８におけるステップＳ０８０８からステップＳ０８１０に該当する。なお、以下に示すステップは、媒体に記録され計算機を制御するためのプログラムを構成する処理ステップであってもかまわない。
【００８３】
図１２は、管理サーバ装置が受発注サーバ装置に対してデータを送信する際の、ステップの一例である。まず、ユーザがコピー機を操作して送信先を指定された送信命令を管理サーバ装置がインターネットを介して受信する。（ステップＳ１２０１）
【００８４】
次に、ＸＭＬ−ＥＤＩ変換プログラムを呼び出して変換を行う。（ステップＳ１２０２）最後に、変換プログラムにおいて変換されたＸＭＬ−ＥＤＩ形式のデータの送信を行う。（ステップＳ１２０３）
【００８５】
図１３は、管理サーバ装置が受発注サーバ装置よりデータを受信する際の、ステップの一例である。まず受発注サーバ装置より、ＸＭＬ−ＥＤＩ形式のデータを受信する。（ステップＳ１３０３）次に、ＸＭＬ−ＥＤＩ変換プログラムを呼び出して変換を行う。（ステップＳ１３０２）最後に、変換した情報を管理データとして管理サーバ装置に保存する。（ステップＳ１３０３）
【００８６】
<効果の簡単な説明>
【００８７】
以上のように、本実施例によって管理サーバ装置と受発注サーバ装置間においてＸＭＬ−ＥＤＩ形式のデータを送受信することを可能とする。
【図面の簡単な説明】
【００８８】
【図１】実施例１のコピー機を利用したＥＤＩシステムの一例を表す概念図
【図２】実施例１におけるコピー機のタッチパネル形式のブラウザ部に表示されるメニュー画面の１例をあらわす図
【図３】実施例１におけるコピー機のタッチパネル形式のブラウザ部に表示される受注画面の１例を表す図
【図４】実施例１におけるコピー機のタッチパネル形式のブラウザ部に表示される出荷データ作成画面の１例を表す図
【図５】実施例１のコピー機を利用したＥＤＩシステムにおける機能ブロックの１例を表す図
【図６】実施例１のコピー機を利用したＥＤＩシステムにおけるコピー機のハードウェア構成の１例を表す図
【図７】実施例１のコピー機を利用したＥＤＩシステムにおける管理サーバ装置のハードウェア構成の１例を表す図
【図８】実施例１のコピー機を利用したＥＤＩシステムにおける処理の流れの１例を表す図
【図９】実施例２のコピー機を利用したＥＤＩシステムにおける管理サーバ装置と受発注サーバ装置とのデータ送受信の１例を表す概念図
【図１０】実施例２のコピー機を利用したＥＤＩシステムにおける機能ブロックの１例を表す図
【図１１】実施例２のコピー機を利用したＥＤＩシステムにおける管理サーバ装置のハードウェア構成の１例を表す図
【図１２】実施例２のコピー機を利用したＥＤＩシステムにおける管理サーバ装置が受発注サーバ装置に対してデータを送信する際のステップの１例を表す図
【図１３】実施例２のコピー機を利用したＥＤＩシステムにおける管理サーバ装置が受発注サーバ装置よりデータを受信する際のステップの１例を表す図
【符号の説明】
【００８９】
０２０１  メニュー画面
０２０２  「受注データ確認」ボタン
０２０３  「出荷データ作成」ボタン
０４０２  「出荷データ送信」ボタン
０５０１  コピー機
０５０２  管理サーバ装置
０５０３  インターネット通信部
０５０４  小型ブラウザ部
０５０５  受発注画面提供部
０５０６  管理部
１００１  第一処理部
１００２  第一ＥＤＩ通信部
１００３  第二処理部
１００４  第二ＥＤＩ通信部
【図１】
2009087261.tif 000003
【図２】
2009087261.tif 000004
【図３】
2009087261.tif 000005
【図４】
2009087261.tif 000006
【図５】
2009087261.tif 000007
【図６】
2009087261.tif 000008
【図７】
2009087261.tif 000009
【図８】
2009087261.tif 000010
【図９】
2009087261.tif 000011
【図１０】
2009087261.tif 000012
【図１１】
2009087261.tif 000013
【図１２】
2009087261.tif 000014
【図１３】
2009087261.tif 000015